(57)【要約】【課題】光源装置を投写型表示装置本体から取り外した状態では、電源供給を行っても点灯しない光源装置を提供する。【解決手段】投写型表示装置１０は着脱自在に設けられた光源装置２０を備える。光源装置２０は、光源２１への電力の供給及び遮断をするスイッチ２３と、スイッチ制御部２４と、光源装置２０が正規品であることを示すＩＤが記憶されたメモリ２２と、電源供給用のコネクタ２５を備える。投写型表示装置１０の内部には、ＩＤ読み取り部１１とＣＰＵ１２を備え、光源装置２０が投写型表示装置１０に取り付けられているとき、ＩＤ読み取り部１１がメモリ２２からＩＤを読取りＣＰＵ１２に供給する。ＣＰＵ１２は供給されたＩＤを判別してスイッチ制御部２４を経由して、スイッチ２３の制御を行う。【選択図】図１
2018128547.tif 000002
【特許請求の範囲】
【請求項１】
電源装置から電力が供給される光源と、前記光源への電力の供給及び遮断をするスイッチと、前記スイッチを制御するスイッチ制御部と、識別情報を有する識別情報保持部と、を備え、
前記識別情報保持部から得られる前記識別情報に基づいて、前記スイッチ制御部が前記スイッチのオン・オフ制御をする光源装置。
【請求項２】
光源装置と、
前記光源装置に電力を供給する電源装置と、
前記光源装置と前記電源装置を内部に収納する筐体と、
を備えた投写型表示装置であって、
前記光源装置は、前記筐体に対して着脱自在に設けられており、前記電源装置からの電力を受けるコネクタを介して電力が供給される光源と、前記光源への電力の供給及び遮断をするスイッチと、前記スイッチを制御するスイッチ制御部と、識別情報を有する識別情報保持部とを含み、
前記筐体の内部には、前記識別情報保持部から識別情報を取得する識別情報取得部と、
前記識別情報取得部から得られる識別情報にもとづいて前記スイッチ制御部を制御するコントローラと、を備え、
前記コントローラは、前記識別情報保持部から得られる識別情報に基づいて、前記スイッチ制御部が前記スイッチのオン・オフ制御をする、投写型表示装置。
【請求項３】
前記識別情報保持部は、識別情報として前記光源装置が正規品であることを示すＩＤが記憶されたメモリであり、前記識別情報取得部は前記ＩＤを読み取るＩＤ読取り部であって、前記コントローラは前記ＩＤ読取り部によって読み出したＩＤが正規品を示すとき前記スイッチ制御部を制御して、前記スイッチをオン状態にする、請求項２に記載の投写型表示装置。
【請求項４】
前記識別情報保持部は、識別情報として前記光源装置が正規品であることを示すＩＤが記憶されたＲＦタグであり、前記識別情報取得部は前記ＩＤを読み取るＲＦＩＤリーダであって、前記コントローラは前記ＲＦＩＤリーダによって読み出したＩＤが正規品を示すとき前記スイッチ制御部を制御して、前記スイッチをオン状態にする、請求項２に記載の投写型表示装置。
【請求項５】
光源装置と、
前記光源装置に電力を供給する電源装置と、
前記光源装置と前記電源装置を内部に収納する筐体と、
を備えた投写型表示装置であって、
前記光源装置は、前記筐体に対して着脱自在に設けられており、前記電源装置からの電力を受けるコネクタを介して電力が供給される光源と、前記光源への電力の供給及び遮断をするスイッチと、前記スイッチを制御するスイッチ制御部と、位置情報を供給する位置情報供給部を含み、
前記筐体の内部には、前記位置情報供給部からの位置情報を取得する位置情報検出部と、
前記位置情報検出部から得られる位置情報に基づいて前記スイッチ制御部を制御するコントローラと、を備え、
前記コントローラは、前記位置情報検出部から得られる位置情報に基づいて前記スイッチ制御部が前記スイッチのオン・オフ制御をする、投写型表示装置。
【請求項６】
前記位置情報供給部は磁石であり、前記位置情報検出部は前記磁石の磁気を検出する磁気センサであって、前記コントローラは前記磁気センサによって磁気を検出したとき前記スイッチ制御部を制御して、前記スイッチをオン状態にする、請求項５に記載の投写型表示装置。
【請求項７】
前記位置情報供給部は第１の加速度センサであり、前記位置情報検出部は第２の加速度センサであって、前記コントローラは、前記第２の加速度センサの値に対する前記第２の加速度センサの値を比較し、その比較結果が所定の値の範囲であるときに基づいて前記スイッチ制御部を制御して、前記スイッチをオン状態にする、請求項５に記載の投写型表示装置。
【発明の詳細な説明】
【技術分野】
【０００１】
本開示は、ライトバルブ上に形成される画像を照明光で照射し、投写レンズにより映像光をスクリーン上に拡大投写する投写型表示装置に関する。
【背景技術】
【０００２】
プロジェクタでは長時間の使用に伴って光源装置からの光束が低下するため、光源装置を交換できる構造が採用されている。利用者に光源装置を交換させるためには、光源装置の交換時に電源装置から光源装置への電力供給を最初に遮断する必要がある。
【０００３】
このため、特許文献１では筐体の光源装置交換用の蓋体に連動したインターロックスイッチを設け、電源オンの状態でランプ交換を試みた場合、光源装置交換用の蓋体を開ける事でインターロックスイッチが電源回路を遮断し装置全体への電力供給が停止され、光源装置交換用の蓋体を閉める事で装置全体に電力が供給可能となる構造を採用している。
【０００４】
また、特許文献２では光源装置交換用の蓋体に導電部を設け、電源オンの状態でランプ交換を試みた場合、光源交換用の蓋体を開ける事で光源装置への電力供給が遮断され、光源交換用の蓋体を閉める事で光源装置に電力が供給可能となる構造を採用している。
【先行技術文献】
【特許文献】
【０００５】
【特許文献１】特開２００１−５１００号公報
【特許文献２】特開２０１２−１０８３４３号公報
【発明の概要】
【発明が解決しようとする課題】
【０００６】
本開示は、光源装置を投写型表示装置本体から取り外した状態では、光源装置に電源供給しても点灯しない光源装置、および投写型表示装置を提供する。
【課題を解決するための手段】
【０００７】
本開示の光源装置は、電源装置から電力が供給される光源と、光源への電力の供給及び遮断をするスイッチと、スイッチを制御するスイッチ制御部と、識別情報を有する識別情報保持部と、を備え、識別情報保持部から得られる識別情報に基づいて、スイッチ制御部がスイッチのオン・オフ制御をする。
【発明の効果】
【０００８】
本開示の投写型表示装置では、それに使用される光源装置は、投写型表示装置本体から取り出した状態では、電源供給を行っても点灯することがない。
【図面の簡単な説明】
【０００９】
【図１】実施の形態１の投写型表示装置を示すブロック図
【図２】実施の形態１の投写型表示装置の動作説明のためのフローチャート
【図３】実施の形態２の投写型表示装置を示すブロック図
【図４】実施の形態２の投写型表示装置の動作説明のためのフローチャート
【図５】実施の形態３の投写型表示装置を示すブロック図
【図６】実施の形態３の投写型表示装置の動作説明のためのフローチャート
【図７】実施の形態４の投写型表示装置を示すブロック図
【図８】実施の形態４の投写型表示装置の動作説明のためのフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面および以下の説明は、当業者が本開示を十分に理解するために、提供されるのであって、これらにより特許請求の範囲に記載の主題を限定することは意図されていない。
【００１２】
（実施の形態１）
［１−１．構成］
図１は、実施の形態１にかかる投写型表示装置のブロック図である。投写型表示装置１０は、内部に投写型表示装置の筐体に対して着脱自在に設けられた光源装置２０を備える。光源装置２０は、光源２１と、この光源２１への電力の供給及び遮断をするスイッチ２３と、このスイッチのオン・オフ制御をするスイッチ制御部２４と、光源装置２０が正規品であることを示すＩＤが記憶されたメモリ２２と、電源供給用のコネクタ２５を備える。
【００１３】
光源装置２０は、これら光源２１と、メモリ２２と、スイッチ２３と、スイッチ制御部２４と、コネクタ２５が、１つの筐体内に収納されて構成される。光源２１としては、半導体レーザ光源や高圧水銀ランプが使用できる。スイッチ制御部２４は、マイクロコンピュータや、ＦＰＧＡ（Ｆｉｅｌｄ-Ｐｒｏｇｒａｍｍａｂｌｅ  Ｇａｔｅ  Ａｒｒａｙ）で構成できる。
【００１４】
投写型表示装置１０の内部には、電源装置１３が設けられており、光源装置２０が投写型表示装置１０に取り付けられたとき、コネクタ２５を通して光源２１に電源を供給する。投写型表示装置１０の内部には、ＩＤ読み取り部１１とＣＰＵ（Ｃｅｎｔｒａｌ  Ｐｒｏｃｅｓｓｉｎｇ  Ｕｎｉｔ）１２を備え、光源装置２０が投写型表示装置１０に取り付けられているとき、メモリ２２とＩＤ読み取り部１１が電気的に接続され、ＩＤ読み取り部１１がＩＤを読み取り、その読み取ったＩＤをＣＰＵ１２に供給する。ＣＰＵ１２は、コントローラの一例、メモリ２２は識別情報保持部の一例、ＩＤ読み取り部１１は識別情報取得部の一例である。
【００１５】
光源装置２０が投写型表示装置１０に取り付けられているときは、ＣＰＵ１２と光源装置２０のスイッチ制御部２４が電気的に接続されており、ＣＰＵ１２は供給されたＩＤを判別してスイッチ制御部２４を制御する。スイッチ制御部２４は、ＣＰＵ１２の指令に従って、スイッチ２３のオン・オフ制御を行う。
【００１６】
［１−２．動作］
次に、図１の実施の形態１の投写型表示装置の動作を図２のフローチャートを参照しつつ説明する。
【００１７】
光源装置２０が投写型表示装置１０に取付けられた状態で、投写型表示装置１０の電源が投入されると、メモリ２２とＩＤ読み取り部１１の間で通信が開始される。ＩＤ読み取り部１１はメモリ２２にＩＤが存在すると判断すると（Ｓ１１）、そのＩＤを読み取る（Ｓ１２）。その後、ＩＤ読み取り部１１は、読み取ったＩＤをＣＰＵ１２に供給する。ＣＰＵ１２は供給されたＩＤを解析し、取付けられた光源装置が正規品かどうかの判断をする（Ｓ１３）。ＣＰＵ１２は光源装置２０が正規品であると判断すると、スイッチ２３をオンさせるようにスイッチ制御部２４を制御する（Ｓ１４）。
【００１８】
ステップ１３（Ｓ１３）において、ＣＰＵ１２はＩＤが非正規品であると判断すると、ＣＰＵ１２はスイッチ２３をオンしない（オフにする）ようスイッチ制御部２４を制御する（Ｓ１５）。
【００１９】
また、ステップ１１（Ｓ１１）において、ＩＤ読み取り部１１がメモリ２２にＩＤが存在しないと判断すると、その結果をＣＰＵ１２に通知し、ＣＰＵ１２はスイッチ２３をオンしない（オフにする）ようスイッチ制御部２４を制御する（Ｓ１５）。
【００２０】
［１−３．効果］
本実施の形態によれば、光源装置が正規品ではない、あるいは光源装置が投写型表示装置に取り外された状態では、光源装置に電源が供給されても、光源が点灯することがない。
【００２１】
（実施の形態２）
［２−１．構成］
図３は、実施の形態２にかかる投写型表示装置のブロック図である。投写型表示装置１００は、内部に投写型表示装置の筐体に対して着脱自在に設けられた光源装置１２０を備える。光源装置１２０は、光源１２１、この光源１２１への電力の供給及び遮断をするスイッチ１２３と、このスイッチのオン・オフ制御をするスイッチ制御部１２４と、光源装置１２０が正規品であることを示すＩＤが記憶されたＲＦ（Ｒａｄｉｏ  Ｆｒｅｑｕｅｎｃｙ）タグ１２２と、電源供給用のコネクタ１２５を備える。
【００２２】
光源装置１２０は、これら光源１２１と、ＲＦタグ１２２と、スイッチ１２３と、スイッチ制御部１２４と、コネクタ１２５が、１つの筐体内に収納されて構成されている。光源１２１としては、半導体レーザ光源や高圧水銀ランプが使用できる。スイッチ制御部１２４は、マイクロコンピュータや、ＦＰＧＡで構成できる。
【００２３】
投写型表示装置１００の内部には、電源装置１０３が設けられており、光源装置１２０が投写型表示装置１００に取り付けられたとき、電源装置１０３はコネクタ１２５を通して光源１２１に電源を供給する。また、投写型表示装置１００の内部には、ＲＦＩＤ（Ｒａｄｉｏ  Ｆｒｅｑｕｅｎｃｙ  Ｉｄｅｎｔｉｆｉｅｒ）リーダ１０１とＣＰＵ１０２を備え、光源装置１２０が投写型表示装置１００に取り付けられているとき、ＲＦタグ１２２とＲＦＩＤリーダ１０１が無線通信を行い、ＲＦＩＤリーダ１０１がＩＤを読取り、その読取ったＩＤをＣＰＵ１０２に供給する。ＣＰＵ１０２はコントローラの一例、ＲＦタグ１２２は識別情報保持部の他の例、ＲＦＩＤリーダ１０１は識別情報取得部の他の例である。
【００２４】
光源装置１２０が投写型表示装置１００に取り付けられているときは、ＣＰＵ１０２と光源装置１２０のスイッチ制御部１２４が電気的に接続されており、ＣＰＵ１０２は供給されたＩＤを判別してスイッチ制御部１２４を制御する。スイッチ制御部１２４は、ＣＰＵ１０２の指令に従って、スイッチ１２３のオン・オフ制御を行う。
【００２５】
［２−２．動作］
次に、図３の実施の形態２の投写型表示装置の動作を図４のフローチャートを参照しつつ説明する。
【００２６】
光源装置１２０が投写型表示装置１００に取付けられた状態で、投写型表示装置１００の電源が投入されると、ＲＦＩＤリーダ１０１とＲＦタグ１２２の間で通信が開始される。ＣＰＵ１０２は光源装置１２０取り付け部分の投写型表示装置１００の蓋が閉じている事を確認すると（Ｓ１００）、ＲＦＩＤリーダ１０１はＲＦタグ１２２に格納されているデータの読み取り（Ｓ１０１）、読取ったデータをＣＰＵ１０２に供給する。
【００２７】
ＣＰＵ１０２は供給されたデータの中にＩＤが存在することを確認し（Ｓ１０２）、ＩＤを解析し、取付けられた光源装置が正規品かどうかの判断をする（Ｓ１０３）。ＣＰＵ１０２はＩＤが正規品であると判断すると、スイッチ１２３をオンさせるようにスイッチ制御部１２４を制御する（Ｓ１０４）。
【００２８】
ステップ１０３（Ｓ１０３）において、ＣＰＵ１０２はＩＤが非正規品であると判断すると、スイッチ１２３をオンしない（オフにする）ようスイッチ制御部１２４を制御する（Ｓ１０５）。
【００２９】
また、ステップ１０２（Ｓ１０２）において、ＣＰＵ１０２はＲＦＩＤリーダ１０１から供給されたデータにＩＤが存在しないと判断すると、ＣＰＵ１０２はスイッチ１２３をオンしない（オフにする）ようスイッチ制御部１２４を制御する（Ｓ１０５）。
【００３０】
ステップ１００（Ｓ１００）で光源装置１２０が取り付けられている投写型表示装置１００の蓋が開いている場合、ＣＰＵ１０２はスイッチ１２３をオンしない（オフにする）ようスイッチ制御部１２４を制御する（Ｓ１０５）。
【００３１】
［２−３．効果］
本実施の形態によれば、光源装置が正規品ではない、あるいは光源装置が投写型表示装置に取り外された状態では、光源装置に電源が供給されても、光源が点灯することがない。
【００３２】
（実施の形態３）
［３−１．構成］
図５は、実施の形態３にかかる投写型表示装置のブロック図である。投写型表示装置２００は、内部に投写型表示装置の筐体に対して着脱自在に設けられた光源装置２２０を備える。光源装置２２０は、光源２２１と、この光源２２１への電力の供給及び遮断をするスイッチ２２３と、このスイッチのオン・オフ制御をするスイッチ制御部２２４と、光源装置２２０に取り付けられた磁石２２２と、電源供給用のコネクタ２２５を備える。
【００３３】
光源装置２２０は、これら光源２２１と、磁石２２２と、スイッチ２２３と、スイッチ制御部２２４と、コネクタ２２５が、１つの筐体内に収納されて構成されている。光源２２１としては、半導体光源や高圧水銀ランプが使用できる。スイッチ制御部２２４は、マイクロコンピュータや、ＦＰＧＡで構成できる。
【００３４】
投写型表示装置２００の内部には、電源装置２０３が設けられており、光源装置２２０が投写型表示装置２００に取り付けられたとき、電源装置２０３は、コネクタ２２５を通して光源２２１に電源を供給する。投写型表示装置２００の内部には、ホールＩＣ（磁力センサ）２０１とＣＰＵ２０２を備え、光源装置２２０が投写型表示装置２００に取り付けられているとき、磁石２２２とホールＩＣ２０１が近接し、ホールＩＣ２０１が磁石２２２の磁力を検知する。ＣＰＵ２０２はコントローラの一例、磁石２２２は位置情報供給部の一例、ホールＩＣ２０１は磁気センサの一例である。
【００３５】
ＣＰＵ２０２は検知結果から光源装置２２０の投写型表示装置２００への取り付け状態を認識し、スイッチ制御部２２４を制御する。スイッチ制御部２２４は、ＣＰＵ２０２の指令に従って、スイッチ２２３のオン・オフ制御を行う。
【００３６】
［３−２．動作］
次に、図５の実施の形態の動作を図６のフローチャートを参照しつつ説明する。
【００３７】
投写型表示装置２００の電源が投入されると、ＣＰＵ２０２は光源装置２２０が取り付けられている部分の投写型表示装置２００の蓋が閉じている事を確認し（Ｓ２０１）、ホールＩＣ２０１の磁力の検出結果を読み取る（Ｓ２０２）。ステップ２０３（Ｓ２０３）において、ＣＰＵ２０２は磁力の検出結果から、光源装置２２０は正規品であると判断すると、スイッチ２２３をオンさせるようにスイッチ制御部２２４を制御する（Ｓ２０４）。磁力の検出結果からＣＰＵ２０２が光源装置２２０は非正規品である、もしくは光源装置２２０が投写型表示装置２００に取り付けられていないと判断すると（Ｓ２０３）、ＣＰＵ２０２はスイッチ２２３をオンしない（オフにする）ようスイッチ制御部２２４を制御する（Ｓ２０５）。
【００３８】
また、ステップ２０１（Ｓ２０１）で光源装置２２０が取り付けられている投写型表示装置２００の蓋が開いている場合、ＣＰＵ２０２はスイッチ２２３をオンしない（オフにする）ようスイッチ制御部２２４を制御する（Ｓ２０５）。
【００３９】
［３−３．効果］
本実施の形態によれば、光源装置が正規品ではない、あるいは光源装置が投写型表示装置に取り外された状態では、光源装置に電源が供給されても、光源が点灯することがない。
【００４０】
（実施の形態４）
［４−１．構成］
図７は、実施の形態４にかかる投写型表示装置のブロック図である。投写型表示装置３００は、内部に投写型表示装置の筐体に対して着脱自在に設けられた光源装置３２０を備える。光源装置３２０は、光源３２１と、この光源３２１への電力の供給及び遮断をするスイッチ３２３と、このスイッチのオン・オフ制御をするスイッチ制御部３２４と、加速度センサＡ３２２、電源供給用のコネクタ３２５を備える。
【００４１】
光源装置３２０は、これら光源３２１と、加速度センサＡ３２２、スイッチ３２３と、スイッチ制御部３２４と、コネクタ３２５が、１つの筐体内に収納されて構成されている。光源３２１としては、半導体レーザ光源や高圧水銀ランプが使用できる。スイッチ制御部３２４は、マイクロコンピュータや、ＦＰＧＡで構成できる。
【００４２】
投写型表示装置３００の内部には、電源装置３０３が設けられており、光源装置３２０が投写型表示装置３００に取り付けられたとき、コネクタ３２５を通して光源３２１に電源を供給する。また、投写型表示装置３００の内部には、加速度センサＢ３０１、およびＣＰＵ３０２が設けられている。ＣＰＵ３０２はコントローラの一例、加速度センサＡ３２２は位置情報供給部の一例である。
【００４３】
光源装置３２０が投写型表示装置３００に取り付けられた時、加速度センサＡ３２２がＣＰＵ３０２に電気的に接続され、ＣＰＵ３０２は加速度センサＡ３２２、加速度センサＢ３０１の値から光源装置の取り付け状態を検出し、スイッチ制御部３２４を制御する。スイッチ制御部３２４は、ＣＰＵ３０２の指令に従って、スイッチ３２３のオン・オフ制御を行う。
【００４４】
［４−２．動作］
次に、図７の実施の形態の投写型表示装置の動作を図８のフローチャートを参照しつつ説明する。
【００４５】
投写型表示装置３００の電源が投入されると、ＣＰＵ３０２は光源装置３２０取り付け部分の投写型表示装置３００の蓋が閉じている事を確認し（Ｓ３００）、加速度センサＡ３２２の値を読み取り（Ｓ３０１）、続いて、加速度センサＢ３０１の値を読み取る（Ｓ３０２）。
【００４６】
ＣＰＵ３０２は加速度センサＡ３２２と加速度センサＢ３０１から読み取った２つの値を比較し（Ｓ３０３）、その差が規定値未満であれば（Ｓ３０４）スイッチ３２３をオンさせるようにスイッチ制御部３２４を制御する（Ｓ３０５）。
【００４７】
ステップ３０３（Ｓ３０３）において、ＣＰＵ３０２は加速度センサＡと加速度センサＢから読み取った値を比較し、その差が規定以上に異なった値の場合（Ｓ３０４）、ＣＰＵ３０２はスイッチ３２３をオンしない（オフにする）ようスイッチ制御部３２４を制御する（Ｓ３０６）。
【００４８】
また、ステップ３００（Ｓ３００）で光源装置３２０が取り付けられている投写型表示装置３００の蓋が開いている場合、ＣＰＵ３０２はスイッチ３２３をオンしない（オフにする）ようスイッチ制御部３２４を制御する（Ｓ３０６）。
【００４９】
［４−３．効果］
本実施の形態によれば、光源装置が正規品ではない、あるいは光源装置が投写型表示装置外に取り外された状態では、光源装置に電源が供給されても、光源が点灯することがない。
【産業上の利用可能性】
【００５０】
本開示は、画像形成素子を用いた投写型表示装置の光源装置に適用できる。
【符号の説明】
【００５１】
１０、１００、２００、３００  投写型表示装置
１１  ＩＤ読み取り部
１２、１０２、２０２、３０２  ＣＰＵ
１３、１０３、２０３、３０３  電源装置
２０、１２０、２２０、３２０  光源装置
２１、１２１、２２１、３２１  光源
２２  メモリ
２３、１２３、２２３、３２３  スイッチ
２４、１２４、２２４、３２４  スイッチ制御部
２５、１２５、２２５、３２５  コネクタ
１２２  ＲＦタグ
１０１  ＲＦＩＤリーダ
２０１  ホールＩＣ
２２２  磁石
３０１  加速度センサＢ
３２２  加速度センサＡ
【図１】
2018128547.tif 000003
【図２】
2018128547.tif 000004
【図３】
2018128547.tif 000005
【図４】
2018128547.tif 000006
【図５】
2018128547.tif 000007
【図６】
2018128547.tif 000008
【図７】
2018128547.tif 000009
【図８】
2018128547.tif 000010